(57)【要約】【課題】屋根に積もった雪が流れ落ちた際にも、凹凸屋根材と面戸との接続状態が安定に維持される屋根構造を提供すること。【解決手段】屋根構造は、凹凸屋根材２の凸部２２の起立面部２２１の軒側には、軒棟方向に長い貫通孔２２１bが形成されており、面戸３の閉鎖部３２の側片部３２２は、板状部３１の長手方向に向かって突出し、かつ、板状部の短手方向に長い爪３２３部を有し、面戸の閉鎖部が凹凸屋根材の軒側端部付近の凸部の内側に嵌め込まれ、側片部の爪部が起立面部の貫通孔に挿入されて係止されており、蓋部によって凸部の軒側端部側の開口部２２aが閉鎖されている。【選択図】図１
2018071089.tif 000002
【特許請求の範囲】
【請求項１】
屋根下地の上に設けられた凹凸屋根材の軒側に、面戸が接続している屋根構造であって、
前記凹凸屋根材は、平坦な底面部と、この底面部から上方に突出し、かつ、軒側端部に開口部を有する畝状の凸部とが、軒方向に交互に複数形成されており、
前記凸部は、
前記底面部から立ち上がり、かつ、互いに離間して対向する一対の起立面部と、
一対の前記起立面部の上端同士を接続する上面部と、
を備え、前記起立面部の軒側には、軒棟方向に長い貫通孔が形成されており、
前記面戸は、軒方向に長い板状部と、この板状部から上方に突出し、前記板状部の長手方向に沿って設けられた複数の閉鎖部とを備え、
前記閉鎖部は、
前記板状部の短手方向の一端付近から立ち上がり、かつ、前記板状部の長手方向に平行な蓋部と、
前記蓋部の両端部から前記板状部の短手方向の他端側に向かって延びる一対の側片部と、
を備え、
前記側片部の外側面には、前記板状部の長手方向に向かって突出し、かつ、前記板状部の短手方向に長い爪部が形成されており、
前記閉鎖部が、前記凹凸屋根材の軒側端部付近の前記凸部の内側に嵌め込まれ、前記側片部の前記爪部が前記起立面部の前記貫通孔に挿入されて係止されており、前記蓋部によって前記凸部の軒側端部側の前記開口部が閉鎖されていることを特徴とする屋根構造。
【発明の詳細な説明】
【技術分野】
【０００１】
本発明は、建物の屋根構造に関する。
【背景技術】
【０００２】
本出願人は、屋根下地材の上に設けられた凹凸屋根材の軒側端部に、面戸が設けられた屋根構造を提案している（特許文献１）。この屋根構造では、凹凸屋根材の凸部の軒側端部に縦長の係止用孔が形成されており、面戸には、凹凸屋根材の凸部の軒側開口を閉塞する閉塞部と、この閉塞部から縦長に突出する係止用突部が設けられている。そして、面戸の係止用突部が、凹凸屋根材の凸部の係止用孔に挿入されて係止されることで、凹凸屋根材と面戸が接続している。
【先行技術文献】
【特許文献】
【０００３】
【特許文献１】特開2014−95237号公報
【発明の概要】
【発明が解決しようとする課題】
【０００４】
しかしながら、特許文献１の屋根構造の場合、例えば、屋根に積もった雪が固まった状態で流れ落ちる際に、雪が縦長の係止用突部に接触することで、係止用孔に挿入されていた係止用突部が外れてしまう場合があった。この場合、凹凸屋根材と面戸の間に隙間が生じやすいため、この隙間から雨水や虫などが侵入してしまう恐れがあることが懸念された。
【０００５】
本発明は、以上のとおりの事情に鑑みてなされたものであり、例えば、凹凸屋根材などの上に積もった雪が流れ落ちた場合も、凹凸屋根材と面戸との接続状態が安定に維持される屋根構造を提供することを課題としている。
【課題を解決するための手段】
【０００６】
上記の課題を解決するために、本発明は、屋根下地の上に設けられた凹凸屋根材の軒側に、面戸が接続している屋根構造であって、
前記凹凸屋根材は、平坦な底面部と、この底面部から上方に突出し、かつ、軒側端部に開口部を有する畝状の凸部とが、軒方向に交互に複数形成されており、
前記凸部は、
前記底面部から立ち上がり、かつ、互いに離間して対向する一対の起立面部と、
一対の前記起立面部の上端同士を接続する上面部と、
を備え、前記起立面部の軒側には、軒棟方向に長い貫通孔が形成されており、
前記面戸は、軒方向に長い板状部と、この板状部から上方に突出し、前記板状部の長手方向に沿って設けられた複数の閉鎖部とを備え、
前記閉鎖部は、
前記板状部の短手方向の一端付近から立ち上がり、かつ、前記板状部の長手方向に平行な蓋部と、
前記蓋部の両端部から前記板状部の短手方向の他端側に向かって延びる一対の側片部と、
を備え、
前記側片部の外側面には、前記板状部の長手方向に向かって突出し、かつ、前記板状部の短手方向に長い爪部が形成されており、
前記閉鎖部が、前記凹凸屋根材の軒側端部付近の前記凸部の内側に嵌め込まれ、前記側片部の前記爪部が前記起立面部の前記貫通孔に挿入されて係止されており、前記蓋部によって前記凸部の軒側端部側の前記開口部が閉鎖されていることを特徴としている。
【発明の効果】
【０００７】
本発明の屋根構造によれば、例えば、凹凸屋根材に積もった雪が軒側に流れ落ちた場合も、凹凸屋根材と面戸との接続状態が安定に維持される。
【図面の簡単な説明】
【０００８】
【図１】本発明の屋根構造の一実施形態を例示した軒側の分解斜視図である。
【図２】図１に例示した屋根構造を備えた建物の一部を例示した斜視図である。
【図３】図１に例示した面戸の部分拡大図である。
【図４】図１に例示した凹凸屋根材の部分拡大図である。
【図５】図１〜図４に例示した凹凸屋根材と面戸の接合状態を例示した部分斜視図である。
【発明を実施するための形態】
【０００９】
図１は、本発明の屋根構造の一実施形態を例示した軒側の分解斜視図である。図２は、図１に例示した屋根構造を備えた建物の一部を例示した斜視図である。図３は、図１に例示した面戸の部分拡大図である。図４は、図１に例示した凹凸屋根材の部分拡大図である。
【００１０】
この実施形態の屋根構造は、屋根下地の上に設けられた凹凸屋根材２の軒側に面戸３が接続している。
【００１１】
凹凸屋根材２は、平坦な底面部２１と、この底面部２１から上方に突出し、かつ、軒側端部に開口部２２a（図３に図示）を有する畝状の凸部２２とが、軒方向に交互に複数形成されている。凸部２２は、底面部２１から立ち上がり、かつ、互いに離間して対向する一対の起立面部２２１と、一対の起立面部２２１の上端２２１a同士を接続する上面部２２２とを備えている。起立面部２２１の軒側には、軒棟方向に長い貫通孔２２１bが形成されている。
【００１２】
面戸３は、軒方向に長い板状部３１と、この板状部３１から上方に突出し、板状部３１の長手方向に沿って設けられた複数の閉鎖部３２とを備えている。閉鎖部３２は、板状部３１の短手方向の一端付近から立ち上がり、かつ、板状部３１の長手方向に平行な蓋部３２１と、蓋部３２１の両端部から板状部３１の短手方向の他端側に向かって延びる一対の側片部３２２とを備えている。側片部３２２の外側面３２２aには、板状部３１の長手方向に向かって突出し、かつ、板状部３１の短手方向に長い爪部３２３が形成されている。
【００１３】
面戸３の閉鎖部３２が凹凸屋根材２の軒側端部付近の凸部２２の内側に嵌め込まれ、側片部３２２の爪部３２３が起立面部２２１の貫通孔２２１bに挿入されて係止されており、蓋部３２１によって凸部２２の軒側端部の開口部２２aが閉鎖されている。
【００１４】
以下、図面とともに、この実施形態の屋根構造について詳しく説明する。
【００１５】
この実施形態の屋根構造は、例えば、図２に例示したような片流れ屋根や切妻屋根などを有する建物１に採用することができる。図２に示したように、以下では、傾斜した屋根面に沿って軒と棟を結ぶ矢印Ｄ１に示す方向を「軒棟方向」とし、軒に沿う矢印Ｄ２に示す方向を「軒方向」として説明する。
【００１６】
図２に示したように、この実施形態の屋根構造は、屋根下地の上に設けられた凹凸屋根材２の軒側に面戸３が接続している。また、複数の凹凸屋根材２で構成される屋根面上には、機能パネルとしての太陽光発電パネルＰが設けられている。屋根下地は、垂木等の構造躯体上に設けられた野地板１１で構成されている。野地板１１は棟側から軒側に向かって斜め下方に傾斜している。さらに、野地板１１の下方に設けられている鼻隠し板（図示していない）の外側（軒側）には軒樋１２が設けられている。
【００１７】
野地板１１の軒側端部には、軒方向に長い面戸３が設けられている。面戸３の材料は特に限定されないが、例えば鋼板などの金属板で形成することができる。
【００１８】
図１、図２および図３に例示したように、面戸３は、軒方向に長い板状部３１と、板状部３１から上方に突出し、板状部３１の長手方向に沿って設けられた複数の閉鎖部３２とを備えている。
【００１９】
板状部３１は、矩形状であり、ネジや釘などの固着具や接着剤を使用することで野地板１２の軒側端部付近に固定することができる。
【００２０】
閉鎖部３２は、蓋部３２１と側片部３２２とを備えており、それぞれの閉鎖部３２は、軒方向に沿って等間隔に配置されている。
【００２１】
蓋部３２１は、軒側に位置する板状部３１の短手方向の一端３１a付近から立ち上がっており、板状部３１の長手方向に平行かつ長尺な矩形板状である。
【００２２】
側片部３２２は、板状部３１から立ち上がっており、蓋部３２１の両端部から板状部３１の短手方向の他端３１b側に向かって、板状部３１の短手方向の中央付近まで延びている。側片部３２２は、蓋部３２１に対して直角に接続する矩形板状あり、板状部３１の長手方向に対向する一対の側片部３２２は互いに平行に形成されている。
【００２３】
また、一対の側片部３２２の外側面３２２aには、板状部３１の長手方向に向かって突出し、板状部３１の短手方向（軒棟方向）に長い爪部３２３が形成されている。爪部３２３は、側片部３２２から斜め上方に向かって傾斜して突出しており、板状部３１の短手方向（軒棟方向）に略平行に形成されている。
【００２４】
図１、図２および図４に例示したように、凹凸屋根材２は、野地板１２上に軒方向に複数並べて載置されている。凹凸屋根材２の材料は特に限定されないが、例えば鋼板などの金属板を例示することができる。また、隣り合う凹凸屋根材２は、野地板１２上に設けられた連結具（図示していない）を介して連結されている。連結具は、例えばネジや釘等の固着具を用いて野地板１２に固定される。
【００２５】
凹凸屋根材２は、平坦な底面部２１と、この底面部２１から上方に突出する畝状の凸部２２とを有している。凹凸屋根材２は、底面部２１と凸部２２とが軒棟方向に交互に複数形成されており、凸部２２の下側および軒側端部には開口部２２aが形成されている。
【００２６】
具体的には、凸部２２は、底面部２１から立ち上がり、かつ、互いに離間して対向する一対の起立面部２２１と、一対の起立面部２２１の上端２２１a同士を接続する上面部２２２とを備えている。
【００２７】
起立面部２２１は、底面部２１に対して略直角に起立しており、上面部２２２によって接続される一対の起立面部２２１同士は互いに平行である。また、それぞれの起立面部２２１の軒側には、起立面部２２１の高さ方向の中央付近に、軒棟方向に長い矩形状の貫通孔２２１bが形成されている。
【００２８】
図３および図４に示したように、この実施形態の屋根構造では、閉鎖部３２の高さＨ１と、凸部２２の高さ（底面部２１から上面部２２の下側までの長さ）Ｈ２は略等しく設計されている。また、閉鎖部３２の蓋部３２１の幅（長手方向の長さ）Ｗ１は、凸部２２の対向する起立面部２２１同士の間の距離Ｗ２と略等しく設計されている。さらに、図１に示したように、隣接する閉鎖部３１同士の間隔Ｌ１は、凹凸屋根材２の底面部２１の幅Ｌ２と略等しく設計されている。
【００２９】
図５は、図１〜図４に例示した凹凸屋根材と面戸の接合状態を例示した部分斜視図である。
【００３０】
図１に例示したように、例えば、面戸３の上方から下方に向かって凹凸屋根材２を押し込むことができる。これによって、凹凸屋根材２の凸部２２が外側に弾性変形したり、閉鎖部３２の側片部３２２が内側に弾性変形したりするため、凸部２２の起立面部２２１の内側面２２１cが閉鎖部３２の側片部３２２の外側面３２２aに沿って下方に押し進められる。そして、凹凸屋根材２の上面部２２２の下面２２２aと、閉鎖部３２の上端３２aとが接近すると、図５に例示したように、側片部３２２の爪部３２３が、凹凸屋根材２の起立面部２２１の貫通孔２２１bに挿入されて係止される。すなわち、面戸３の閉鎖部３２が、凹凸屋根材２の軒側端部付近の凸部２２の下側の開口部２２aに嵌め込まれた状態になる。図５に例示した実施形態では、閉鎖部３２の側片部３２２の外側面３２２aと、凸部２２の起立面部２２１の内側面２２１cとが当接している。また、閉鎖部３２の上端（蓋部３２１の上端および側片部３２２の上端)３２aと、凸部２２の上面部の下面２２２aが当接している。さらに、面戸３の板状部３１と凸部２２の底面部２１とが上下に当接している。図５に例示した実施形態では、凹凸屋根材２の凸部２２の軒側端部と、閉鎖部３２の蓋部３２１とが略面一であり、蓋部３２１によって凸部２２の軒側端部側の開口部２２aが閉鎖されている。このため、雨水や小鳥、虫などが凹凸屋根材２の内側に侵入することが抑制されている。
【００３１】
したがって、この実施形態の屋根構造では、側片部３２２の爪部３２３と起立面部２２１の貫通孔２２１bとは、互いに対応する位置、形状に形成されている。
【００３２】
また、側片部３２２の爪部３２３は、上方に向かって斜め上方向に傾斜しているため、起立面部２２１の貫通孔２２１bへの挿入が容易となっている。なお、側片部３２２の爪部３２３を、下方に向かって斜め下方向に傾斜させるようにしてもよい。この場合は、一旦挿入された爪部３２３が貫通孔２２１bから抜け難くなる。
【００３３】
さらに、凹凸屋根材２の起立面部２２１に形成された貫通孔２２１bは軒棟方向に長く、この貫通孔２２１bに、板状部３１の短手方向（軒棟方向）に長い面戸３の爪部３２３が挿入されている。
したがって、この実施形態の屋根構造では、凹凸屋根材２や太陽光パネルＰの上に積もった雪が軒側に流れ落ちた場合に、軒棟方向に略平行な爪部３２３は、軒棟方向に直交する従来の爪部（特許文献１）と比較して雪の荷重を受ける面の面積が小さくなる。このため、この実施形態の屋根構造は、爪部３２３が雪による荷重を受けにくく、爪部３２３が貫通孔２２１bから外れることが抑制されるため、凹凸屋根材２と面戸３との接続状態を安定に維持することができる。
【００３４】
本発明の屋根構造は、以上の実施形態に限定されることはない。例えば、面戸の爪部は、凹凸屋根材の起立面部に形成された貫通孔に挿入可能であり、雪などの荷重を受けにくい形状や寸法に適宜設計することができる。
【符号の説明】
【００３５】
２      凹凸屋根材
２１    底面部
２２    凸部
２２a  開口部
２２１  起立面部
２２１a  上端
２２１b  貫通孔
２２２  上面部
３      面戸
３１    板状部
３２    閉鎖部
３２１  蓋部
３２２  側片部
３２２a  外側面
３２３  爪部
【図１】
2018071089.tif 000003
【図２】
2018071089.tif 000004
【図３】
2018071089.tif 000005
【図４】
2018071089.tif 000006
【図５】
2018071089.tif 000007